(57)【要約】【課題】盤内に段積収納した機器ユニットの接触子に単純形状な接触子を採用し、垂直母線との間の接続に自由に対応できようにしてコスト低減化を図る。【解決手段】盤内に複数の機器ユニット２を上下に段積み収納し、その背後に敷設した垂直母線３に各機器ユニットの接触子を接続して給電を行うようにした集合形配電盤の母線装置において、垂直母線３を平角導体として、該平角導体の長手方向に沿ってその左右側面に布設して結合したコンタクト板４の先端をＵ字状に折曲してクリップ部４ａを形成し、各段の機器ユニット２から背後に引き出した棒状の接触子２ａを前記コンタクト板４のクリップ部４ａの間に差し込んで垂直母線３に接続して給電を行うようにする。【選択図】        図１
2005073428.tif 000002
【特許請求の範囲】
【請求項１】
盤内に複数の機器ユニットを上下に段積み収納し、その背後に敷設した垂直母線に各機器ユニットから引き出した接触子を接続して給電を行うようにした集合形配電盤の母線装置において、
前記垂直母線を平角導体として、該平角導体の長手方向に沿ってその左右側面に結合してその側縁先端を機器ユニットに向けて突き出したクリップ形のコンタクト板を布設し、各機器ユニットから背後に引き出した接触子を前記コンタクト板の間に差し込んで垂直母線に分岐接続するようにしたことを特徴とする集合形配電盤の母線装置。
【請求項２】
請求項１に記載の母線装置において、コンタクト板はばね性を有する長尺導電板で、かつその側縁に沿った先端部分を内側に向けＵ字状に折曲してクリップ形状となしたことを特徴とする集合形配電盤の母線装置。
【請求項３】
請求項１に記載の母線装置において、垂直母線の平角導体は、その断面積を電源側に向けて漸次拡大するように設定したことを特徴とする集合形配電盤の母線装置。
【発明の詳細な説明】
【技術分野】
【０００１】
本発明は、コントロールセンタなどを実施対象とした集合形配電盤の盤内に敷設して上下に段積み収納した各機器ユニットと接続する母線装置に関する。
【背景技術】
【０００２】
周知のように頭記のコントロールセンタは、盤内に複数の機器ユニット（遮断器，電磁接触器，制御部などを組み合わせたもの）を上下に段積み収納し、その背後に敷設した垂直母線（電源側母線）に各機器ユニットから引き出した接触子を接続して給電を行うようにしている（例えば、特許文献１参照）。
次に、コントロールセンタの構成例を図３に、またそのコントロールセンタの盤内で垂直母線に機器ユニットを接続して給電する従来の接続構造を図４に示す。図において１は集合形配電盤の筐体、２は盤内に段積みして収納した引出式の機器ユニット、２ａは各機器ユニット２から背後に引き出した接触子、３は盤内に敷設した垂直母線である。
ここで、垂直母線３はその長手方向で一様な断面を呈する平角導体であり、支持碍子（図示せず）を介して盤内に敷設されている。一方、各機器ユニット２には図４で示すようなクリップ形の接触子２ａを設置して背後に引き出し、機器ユニット２を盤内に押し込んだ運転位置で、クリップ形接触子２ａに垂直母線３を圧入接触させて給電を行うようにしている。
【特許文献１】特開平６−１６５３１９号公報
【発明の開示】
【発明が解決しようとする課題】
【０００３】
ところで、前記した従来構造の母線装置では次記のような問題点がある。
(1)別部品のクリップ形接触子２ａを機器ユニット２側または垂直母線３側に設ける必要があるため、機器ユニットの位置や母線の形状に制約があり、また機器ユニット２の接触子の形状も複雑になる。
(2) 垂直母線３にはその長手方向に沿って上下段に並ぶ複数の機器ユニット２が順に分岐接続されることから、母線に流れる電流分布について見ると電源に近いの領域で大きな電流が流れ、逆に電源から離れた末端側の領域では電流が小さくなる。したがって、この電流分布を基にして垂直母線３の電流容量（導体断面積）を考えると、電源側から離れた末端領域は電源に近い領域に比べて母線の断面積が小さくてもよい。
これに対して、先記のように機器ユニット２に装備したクリップ形接触子２ａとの接続性を考慮して、垂直母線３をその長手方向で一様な断面の平角導体とした従来の構造では、電源から離れた末端側では導体断面積が必要以上に大きくなって電流容量が過剰となる。
【０００４】
そこで、本発明の目的は、盤内に段積み収納した機器ユニットの接触子を単純形状の接触子として垂直母線との接続にフレキシブルに対応でき、併せて垂直母線をその電流容量に見合った断面積に設計して資材の節減，トータルコストの低減化が図れるように改良した集合形配電盤の母線装置を提供することにある。
【課題を解決するための手段】
【０００５】
上記目的を達成するために、本発明によれば、盤内に複数の機器ユニットを上下に段積み収納し、その背後に敷設した垂直母線に各機器ユニットから引き出した接触子を接続して給電を行うようにした集合形配電盤の母線装置において、
前記垂直母線を平角導体として、該平角導体の長手方向に沿ってその左右側面に結合してその側縁先端を機器ユニットに向けて突き出したクリップ形のコンタクト板を布設し、各機器ユニットから背後に引き出した接触子を前記コンタクト板の間に差し込んで垂直母線に分岐接続するような構成とする（請求項１）。
また、その具体的な態様として、前記コンタクト板にはばね性を有する長尺導電板を用い、その長手方向に沿った側縁の先端部分を内側に向けＵ字状に折曲してクリップ部を形成するようにする（請求項２）。
【０００６】
さらに、垂直母線の平角導体は、その断面積を長手方向に沿った所要電流容量に合わせて電源側に向け漸次拡大するように設定する（請求項３）。
【発明の効果】
【０００７】
本発明によれば、前記のように垂直母線の長手方向に沿ってその左右側面に布設したコンタクト板をクリップ形としたことで、機器ユニット側には単純な形状の接触子，例えば棒状接触子を設けるだけで機器ユニットの設置位置に関係なく垂直母線に接続でき、これによりコストを低減できる。しかも、垂直母線はコンタクト板が補強板の役目を果して機械的な剛性が増す利点も得られる。また、垂直母線の長手方向に沿った所要断面積をその導体領域に流れる電流の大きさに合わせて変えるように設定したことで、電流容量の過剰問題が解消されて資材の節減化，トータル的なコスト低減化が図れる。
【発明を実施するための最良の形態】
【０００８】
本発明においては、盤内に複数の機器ユニットを上下に段積み収納し、その背後に敷設した垂直母線に各機器ユニットの接触子を接続して給電を行うようにした集合形配電盤の母線装置において、前記垂直母線を平角導体として、該平角導体の長手方向に沿ってその左右側面に結合してその側縁先端を機器ユニットに向けて突き出したクリップ形のコンタクト板を布設し、各機器ユニットから背後に引き出した接触子を前記コンタクト板の間に差し込んで垂直母線に分岐接続するように構成するものとし、その具体的な態様として次記実施例１，実施例２のように構成して実施することができる。
【実施例１】
【０００９】
図１，図２は本発明の請求項１，２に対応する実施例１の構成図であり、図中で図３，図４に対応する部材には同じ符号を付してその説明は省略する。
この実施例１においては、垂直母線（電源側母線）３を平角導体としてその導体の横幅面が機器ユニット２と向かい合うように敷設した上で、その長手方向（上下方向）に沿って平角導体の左右端面には長尺なコンタクト板４がろう付け，リベット止めなどにより導電および機械的に結合されている。このコンタクト板４はばね性を有する導電材で作られ、その側縁の先端部分を図示のように内側へＵ字状に折曲して後記の接触子に対するクリップ部４ａを形成している。
一方、前記のクリップ部４ａに対向して機器ユニット２の背後には電源接触子２ａとして単純な形の棒状接触子を備えている。
【００１０】
そして、盤内に段積み収納した引出式の機器ユニット２を運転位置に押し込むと、接触子２ａが図示矢印方向に移動して前記コンタクト板４のクリップ部４ａの間に差し込まれて接触する。これにより、接触子２ａと垂直母線３とが導通状態になって電源から機器ユニット２に給電される。
しかも、前記のコンタクト板４は連続した長尺板として垂直母線３の上下全域に沿って布設されているので、機器ユニット２の設置位置（高さ）に制約されることなくどの位置からでも自由に接続できる。
なお、図示例は垂直母線（電源側母線）３を挟んで配電盤の筐体の前後両面に機器ユニット２を段積み収納した両面形コントロールセンタへの適用例であり、前記のクリップ部４ａをコンタクト板４の前後側縁に形成して前後列の機器ユニット２に対応させるようにしており、片面形のコントロールセンタに適用する場合には前記クリップ部４ａは片側にのみ形成するだけでよい。
【００１１】
また、機器ユニット２の接触子２ａを垂直母線３に対し脱着しないで接続固定したままとする場合には、接触子２ａの先端を楔形としてコンタクト板４のクリップ部４ａから抜けないようにして実施することもできる。
【実施例２】
【００１２】
図２(a) 〜(c) は本発明の請求項３に対応する実施例２の構成を示すものである。この実施例においては、先記実施例１で述べた垂直母線３について、その平角導体の長手方向に沿った断面積を該母線に流れる電流の大きさに合わせて変えるように設定している。
すなわち、図２(a) のように４基の機器ユニット４を上下に段積みして垂直母線３に分岐接続した給電状態では、各機器ユニット２を通じて負荷側に流れる電流をそれぞれｉ1 〜ｉ4 ，垂直母線３の上端を電源側として母線の長手方向に流れる電流分布は図示で表すようになる。つまり、電源に近い側の領域（上端側）では大きな電流が流れるのに対して、電源から離れた末端側（下端側）では母線に流れる電流が小さい。
そこでこの実施例では、前記した通電電流の分布に見合うように垂直母線３の導体断面積を設定するものとし、図２(b),(c) で示すように大きな電流が流れる上端側の領域では平角導体の板厚をｄ1 ，通電電流が小さな下端側の領域では平角導体の板厚をｄ2 （ｄ1 ＞ｄ2 ）として、垂直母線３の電流容量が過剰になるのを防いで使用する資材（銅材）の節減化を図るようにしている。
【００１３】
なお、本発明の母線装置は、図示実施例のコントロールセンタのほか、ロードセンタなどの各種低圧配電盤の母線装置としても実施適用できる。
【図面の簡単な説明】
【００１４】
【図１】本発明の実施例１に係る母線装置の要部構造図。
【図２】本発明の実施例２に係る母線装置を模式的に表した構成図であり、(a) は側面図、(b),(c) はそれぞれ(a) における垂直母線の上下端部の横断面図。
【図３】本発明の実施対象となるコントロールセンタの従来例の構成図であり、(a),(b) はそれぞれ正面図，および縦断側面図。
【図４】図３における矢視Ｘ−Ｘ断面図。
【符号の説明】
【００１５】
１    配電盤の筐体
２    機器ユニット
２ａ  接触子
３    垂直母線
４    コンタクト板
４ａ  クリップ部
【図１】
2005073428.tif 000003
【図２】
2005073428.tif 000004
【図３】
2005073428.tif 000005
【図４】
2005073428.tif 000006